(57)【要約】【課題】採尿するために留置させているカテーテルを、採尿、洗浄液の注入、使用済み洗浄液の回収、採尿と順に使い分ける際、流路の切り換えを迅速且つ的確に行えるようにする。【解決手段】挿入ューブ１０と延長チューブ１１とを、Ｙ状の流路２を有したＹ形コネクタ１で連結すると共に、そのＹ形コネクタ１から分岐チューブを枝分かれさせ、Ｙ形コネクタ１には、挿入チューブ接続用ポート３、延長チューブ接続用ポート４、分岐チューブ接続用ポート５のそれぞれに対し、各ポート３，４，５を個々に開閉動作する第一の弁機構６、第二の弁機構７、第三の弁機構８を設ける。延長チューブ１１の先には採尿袋１２を連結し、分岐チューブの先端にはキャップ１３を取り付ける。【選択図】図１
2005052375.tif 000002
【特許請求の範囲】
【請求項１】
挿入チューブに延長チューブを連結し、その挿入チューブと延長チューブとの連結部分から分岐チューブを枝分かれさせるためのＹ形コネクタであって、挿入チューブ接続用のポートを開閉動作する第一の弁機構と、延長チューブ接続用ポートを開閉動作させる第二の弁機構と、分岐チューブ接続用ポートを開閉動作させる第三の弁機構とを設けたことを特徴とするＹ形コネクタ。
【請求項２】
ハウジング内に形成された流路における各ポートの直前に、スライド方式の弁体を設け、第一の弁機構を、第二又は第三の弁機構のスライド方向に対してほぼ直交させた請求項１に記載のＹ形コネクタ。
【請求項３】
第一の弁機構が閉塞されていることを条件に、第二の弁機構の切り換え操作を可能とした請求項１又は２に記載のＹ形コネクタ。
【請求項４】
請求項１〜３のいずれかに記載のＹ形コネクタを装備したカテーテル。
【発明の詳細な説明】
【技術分野】
【０００１】
本発明は、医療分野で好適利用されるＹ形コネクタを装備したカテーテルの技術に関する。
【背景技術】
【０００２】
尿道カテーテル、胃管カテーテルなどに代表されるＹ形コネクタを装備したカテーテルは、挿入チューブを体内に挿入し、延長チューブを介して体内から異物や液物を排出する一方で、分岐コネクタを介し、洗浄液や栄養剤を注入する為にも利用される。
尿道カテーテルを例に採ると、自力で排尿することが困難な患者では、挿入チューブを、尿道内へ、その先端が膀胱内に達するまで挿入した状態で留置し、膀胱内の尿を蓄尿袋内へ排出させるために利用される。
又、細菌感染やチューブ内の詰まりを防止すべく、洗浄剤や殺菌剤を注入し、膀胱内や膀胱に至る経路の洗浄殺菌も行われる。
洗浄殺菌を行う場合は、分岐チューブに接続したシリンジ等で洗浄液や殺菌剤を注入するが、その間洗浄液や殺菌剤が採尿バッグ側に流れないよう、採尿バッグが接続されている延長チューブをクリップなどで閉塞しておかなくてはならないし、洗浄液や殺菌剤を回収するには、シリンジで吸引後に挿入チューブ側を閉塞し、且つ前記延長チューブを解放させなくてはならないので煩わしい。
そこで、特許文献１に記載のように、Ｙ形コネクタに代えて三方活栓を装備した尿道カテーテルや、同じく特許文献２に記載のように、三方活栓を装備した胃管カテーテルが提案されている。
【０００３】
【特許文献１】実用新案登録第３０４５８９８号公報
【特許文献２】特開平７−９６０３０号公報
【発明の開示】
【発明が解決しようとする課題】
【０００４】
特許文献１及び２に記載されている三方活栓を装備したカテーテルは、ワンタッチにて流路の切り換えを可能としたので操作性は頗る良い。
しかし分岐チューブに連通する流路が直角に曲がっているため、凝固した血液や胃の内容物が引っ掛かりやすく、トラブルを起こす虞がある。
トラブルが起きると、その都度圧力を加えて引っ掛かった異物を強制的に押し戻したり吸引するなどして無理に通過させなくてはならないが、それでも解決しない場合は留置を解いて新しいカテーテルを挿入し直すといったように、患者に多大な負担を強いていた。
その点Ｙ形コネクタは、分岐チューブと挿入チューブとがスムーズに連通しているので、長い挿入チューブの管路抵抗があってもトラブルの発生は起こりにくい。
又、三方活栓はＹ形コネクタに対して分岐チューブの接続方向が異なることから、Ｙ形コネクタを使い慣れていても三方活栓に不慣れであると戸惑いやすく、操作ミスの可能性も否定できない。
更に、三方活栓は、各チューブが交わるＴ字状の接続部に、Ｌ字形の流路を有した１つの回転式弁体を設けることで効率よく切り換え可能であるが、Ｙ形コネクタの接続部はＹ字状のため、そのような弁体では切り換えできない。
【課題を解決するための手段】
【０００５】
本発明は、Ｙ形コネクタの本来の機能を損ねることなく、三方活栓に匹敵する流路切り換え機能をＹ形コネクタに付加することに成功したＹ形コネクタ及びそのＹ形コネクタを装備したカテーテルであって、その構成は、挿入ューブに延長チューブを連結し、その挿入ューブと延長チューブとの連結部分から分岐チューブを枝分かれさせるためのＹ形コネクタであって、挿入チューブ接続用ポートを開閉動作する第一の弁機構と、延長チューブ接続用ポートを開閉動作させる第二の弁機構と、分岐チューブ接続用ポートを開閉動作させる第三の弁機構とを設けたことを特徴とするＹ形コネクタ、及びそのＹ形コネクタを装備したカテーテルとにある。
前記Ｙ形コネクタは、ハウジング内に形成した流路における各ポートの直前に、スライド方式の弁体を設け、第一の弁機構を、第二又は第三の弁機構のスライド方向に対してほぼ直交させた構造としたり、第一の弁機構が閉塞されていることを条件に、第二の弁機構の切り換え操作を可能とすることができる。
【発明の効果】
【０００６】
分岐チューブがＹ形に枝分かれしているため、取り扱いはこれまでと変わらず戸惑うことはないし、各ポート毎に弁機構を設けたので、各弁機構は、開閉動作のみのシンプルな構造となる。
特に、第一の弁機構を、第二及び第三の弁機構のスライド方向に対してほぼ直交させることで、第一の弁機構を他の２つの弁機構と区別しやすくなって、どのポートを開くにはどの弁機構を操作すればよいのかといったポートと弁機構との関連性と特徴を明確に把握できるし、第一の弁機構が閉塞されていることを条件に、第二の弁機構の切り換え操作を可能とすれば、うっかりミスをなくせる。
【発明を実施するための最良の形態】
【０００７】
以下、本発明に係るＹ形コネクタ及びそのＹ形コネクタを装備したカテーテルにつき、その一実施例を挙げて図面に基づき説明する。
【０００８】
図１は、Ｙ形コネクタを装備したカテーテルの代表機種である尿道カテーテルを示したもので、１はＹ形コネクタであり、三角形状のボディ内にはＹ状の流路２が形成されており、流路２の各端部には挿入チューブ接続用ポート３、延長チューブ接続用ポート４、分岐チューブ接続用ポート５がそれぞれ設けられており、各ポート３，４，５からは抜け止め防止対策が施されたニップル３ａ，４ａ，５ａが突設されている。
前記流路２には、各流路毎、ポート３，４，５の直前にそれぞれ第一の弁機構６、第二の弁機構７及び第三の弁機構８が配置されている。
【０００９】
いずれの弁機構６，７，８にもスライド方式が採用されており、第一の弁機構６を例に説明すると、ボディに流路２と直交する貫通孔９を設け、その貫通孔９内に円柱形の弁体６ａを挿通してその弁体６ａを前記流路２と交わらせ、スライド操作により弁体６ａに形成された抜き孔２ａを流路２と一致させるか流路２から外すかによって開閉させる構造になっている。
そしてこの第一の弁機構６は、弁体６ａのスライド方向が第二の弁機構７及び第三の弁機構８における各弁体７ａ，８ａの操作方向に対して直交する配置となっている。
【００１０】
前記各ポート３，４に突設されたニップル３ａ，４ａにはそれぞれ挿入チューブ１０、延長チューブ１１が接続され、延長チューブ１１には蓄尿袋１２が連結されている。
又、分岐チューブ接続用ポート５に突設されたニップル５ａの先端にはキャップ１３が装着されている。
【００１１】
このように形成されたＹコネクタによれば、各弁機構６，７，８を切り換え操作することにより、ボディ内に形成されたＹ形の流路を流れる流体の通過経路を自由に変更することができ、このＹ形コネクタを装備した尿道カテーテルは、弁機構の操作で尿の排出と膀胱内の洗浄とを手際よく行うことができる。
【００１２】
弁機構の切り換え例を説明すると、挿入チューブを尿道内に挿入した留置状態では、通常、第三の弁機構８を閉じ、第一の弁機構６と第二の弁機構７とを解放することにより、挿入チューブ接続用ポート３から延長チューブ接続用ポート４に至る経路を開通させて（図３のａ）、膀胱内の尿を採尿袋に排出させるために利用する。
又、洗浄などをする場合は、第一の弁機構６と第二の弁機構７とを閉塞して流路を完全に遮断した後（図３のｂ）、分岐チューブ接続用ポート５のキャップ１３を外し、シリンジなどの洗浄液が入った注入器具１４を接続した後、第一の弁機構６と第三の弁機構８とを解放する（図３のｃ）。
それによって分岐チューブ接続用ポート５から挿入チューブ接続用ポート３に至る経路が開通し、分岐チューブ接続用ポート５から注入した洗浄液を膀胱内へ注入できるようになり、注入が終わったら再度注入器具１４を操作し、使用済みの洗浄液を逆の経路で一旦吸い出す。
最後に、第一の弁機構６を閉じ、第二の弁機構７を開いて分岐チューブ接続用ポート５から延長チューブ接続用ポート４へと折り返す流路を確保し（図３のｄ）、注入器具１４内の使用済み洗浄液を蓄採袋に回収する。
【００１３】
流路の変更はワンタッチとはいかないが、排出時と注入時とには流体がスムーズに流れるし、操作は、各弁機構の分担を明確に把握できることから戸惑うことはなく、ミスを起こすことはない。
尚、分岐チューブ接続用ポートは、本来分岐チューブを接続するものであるが、実施例ではキャップが取り付けられたタイプについて説明した。
【００１４】
又、各弁機構は単独で自由に操作できないように、例えば、第二及び第三の弁機構における各弁体側面に凹部を設け、第一の弁機構が開動作時には、リンク等を介して前記弁体の凹部にピンを差し込む連動機構を付設し、第一の弁機構が閉塞されていることを条件に第二，第三の弁機構を操作可能にすることもできる。
更に、実施例のカテーテルは、挿入チューブがバルーン組み込みタイプではないが、バルーンを組み込んだタイプにも適用される。
【００１５】
実施例では第一の弁機構を、第二及び第三の弁機構に対して弁体のスライド方向を直交させたので、弁機構の違いが把握しやすくなり、いちいち眼で確認しなくても手探りだけで間違いなく操作できる。
【００１６】
弁機構を区別する手段は、スライド方向の違いばかりでなく、色分けして一目で判断できるようにするとか、形状を変え、手触りだけで識別可能にすることができる。
【００１７】
ボディやポートの形状、採用する弁機構のタイプ等は本発明の趣旨を逸脱しない範囲内で適宜変更して差し支えなく、尿道カテーテル、胃管カテーテル以外のカテーテルにも適用される。
【図面の簡単な説明】
【００１８】
【図１】本発明に係るＹ形コネクタを装備した尿道カテーテルを示した説明図である。
【図２】Ｙ形コネクタを示した説明図である。
【図３】（ａ）〜（ｄ）はＹ形コネクタの切り換え動作説明図である。
【符号の説明】
【００１９】
１・・Ｙ形コネクタ、２・・流路、２ａ・・抜き孔、３・・挿入チューブ接続用ポート、４・・延長チューブ接続用ポート、５・・分岐チューブ接続用ポート、６・・第一の弁機構，６ａ・・弁体、７・・第二の弁機構、７ａ・・弁体、８・・第三の弁機構、８ａ・・弁体、９・・貫通孔、１０・・挿入チューブ、１１・・延長チューブ、１２・・蓄尿袋、１３・・分岐チューブ、１４・・注入器具。
【図１】
2005052375.tif 000003
【図２】
2005052375.tif 000004
【図３】
2005052375.tif 000005